(57)【要約】【課題】小型・軽量化、低コスト化が可能であり、適度な押圧刺激によって効果的なマッサージ作用が得られるマッサージ機能付き腰掛け具を提供する。【解決手段】マッサージ機構として、背もたれ部２に内蔵されるマッサージ手段であって、内部へのエアの給排気により変形して厚みが変化するか若しくは膨張・収縮する押圧体８と、この押圧体８への給排気手段とを備え、前記押圧体８により着座者の腰部・背部を押圧刺激できるようにした。エアの給排気により変形して厚みが変化するか若しくは膨張・収縮する押圧体８がマッサージ手段であるため、構造を簡易化して小型・軽量化が可能である。しかも、押圧体８による適度な押圧刺激によって効果的なマッサージ作用が得られる。【選択図】図１
2007307178.tif 000002
【特許請求の範囲】
【請求項１】
マッサージ機構として、背もたれ部に内蔵されるマッサージ手段であって、中空の可撓性プラスチック体又はゴム体からなり、内部へのエアの給排気により変形して厚みが変化するか若しくは膨張・収縮する押圧体と、該押圧体に対するエアの給排気を行う給排気手段とを備え、
前記押圧体により、着座者の腰部及び／又は背部を押圧刺激できるようにしたことを特徴とするマッサージ機能を備えた腰掛け具。
【請求項２】
腰掛け具が、椅子、ソファ、座椅子のいずれかのタイプであることを特徴とする請求項１に記載のマッサージ機能を備えた腰掛け具。
【請求項３】
背もたれ部の基端部が座部に対して回動可能に連結され、背もたれ部が角度調整可能であることを特徴とする請求項１又は２に記載のマッサージ機能を備えた腰掛け具。
【請求項４】
座部は、背もたれ部が連結される本体部と、該本体部の先端側に連成される足載部とからなり、該足載せ部は、前記本体部に対して上下方向に傾動可能であるとともに、マッサージ機構を内蔵することを特徴とする請求項１〜３のいずれかに記載のマッサージ機能を備えた腰掛け具。
【発明の詳細な説明】
【技術分野】
【０００１】
この発明は、いわゆるマッサージチェアに代表されるマッサージ機能を備えた腰掛け具に関するもので、この腰掛け具には、チェアタイプ、ソファタイプ、座椅子タイプなどのものが含まれる。
【背景技術】
【０００２】
従来、背もたれ部に上下・左右に移動可能な回転ローラを備えたマッサージユニットを内蔵させ、着座した状態で、このマッサージユニットの回転ローラによって背中〜腰をマッサージ（押圧刺激）するようにした、いわゆるマッサージチェアが知られている（例えば、特許文献１）。
【特許文献１】登録実用新案第３１１７８２０号公報
【発明の開示】
【発明が解決しようとする課題】
【０００３】
しかし、特許文献１に示されるような従来のマッサージチェアは、回転ローラを移動させるために複雑な機構とその駆動装置が必要であり、必然的にチェアが大型化、大重量化するという問題がある。また、回転ローラの形状や動作機構などに微妙な工夫が必要となるため設計が難しく、上述したように複雑な機構と駆動装置が必要であることと相俟って製造コストが高くなり、総じて高価な器具とならざるを得ない。また、移動する回転ローラで背中〜腰をマッサージする方式は押圧刺激が比較的強いため、人によって刺激が強すぎると感じる場合があったり、睡眠中にマッサージを受けることが難しかったりする難点がある。
【０００４】
したがって本発明の目的は、簡易なマッサージ機構を備えることで小型・軽量化、低コスト化が可能であるとともに、適度な押圧刺激によって効果的なマッサージ作用が得られる、マッサージ機能を備えた腰掛け具を提供することにある。
【課題を解決するための手段】
【０００５】
上記課題を解決するための本発明の要旨は以下のとおりである。
［1］  マッサージ機構として、背もたれ部に内蔵されるマッサージ手段であって、中空の可撓性プラスチック体又はゴム体からなり、内部へのエアの給排気により変形して厚みが変化するか若しくは膨張・収縮する押圧体と、該押圧体に対するエアの給排気を行う給排気手段とを備え、
前記押圧体により、着座者の腰部及び／又は背部を押圧刺激できるようにしたことを特徴とするマッサージ機能を備えた腰掛け具。
【０００６】
［2］上記［1］の腰掛け具において、腰掛け具が、椅子、ソファ、座椅子のいずれかのタイプであることを特徴とするマッサージ機能を備えた腰掛け具。
［3］上記［1］又は［2］の腰掛け具において、背もたれ部の基端部が座部に対して回動可能に連結され、背もたれ部が角度調整可能であることを特徴とするマッサージ機能を備えた腰掛け具。
［4］上記［1］〜［3］のいずれかの腰掛け具において、座部は、背もたれ部が連結される本体部と、該本体部の先端側に連成される足載部とからなり、該足載せ部は、前記本体部に対して上下方向に傾動可能であるとともに、マッサージ機構を内蔵することを特徴とするマッサージ機能を備えた腰掛け具。
【発明の効果】
【０００７】
本発明のマッサージ機能を備えた腰掛け具は、エアの給排気により変形して厚みが変化するか若しくは膨張・収縮する押圧体がマッサージ手段であるため、マッサージ機構の構造を簡易化することができ、小型・軽量化、低コスト化が可能である。しかも、上記押圧体による適度な押圧刺激によって効果的なマッサージ作用が得られる。
【発明を実施するための最良の形態】
【０００８】
図１〜図４は、本発明を座椅子タイプの腰掛け具に適用した場合の一実施形態を示すもので、図１は側面図、図２は正面図、図３は一部切欠正面図、図４は、座部に対して背もたれ部を水平に倒した状態で示す側面図である。
図において、１は座部、２は背もたれ部、３は背もたれ部２の両側に取り付けられた肘掛け部である。
【０００９】
前記座部１と背もたれ部２は、それぞれ内部にフレーム体４，５を有し、両フレーム体４，５の端部どうしをヒンジ連結６することにより、背もたれ部２を座部１に対して回動可能としている。そして、前記ヒンジ連結６にラチェット機構（図示せず）などを設けることにより、背もたれ部２の角度調整が可能となっており、図４に示すように座部１に対して背もたれ部２を水平に倒した状態とすることもできる。
座部１と背もたれ部２は、前記フレーム体４，５と、その外側を覆うクッション材（図示せず）と、このクッション材全体を覆う張り地７（布、不織布、皮革、合成皮革など）とから構成される。
【００１０】
背もたれ部１の前面側には、マッサージ手段としてエアの給排気で作動する複数の押圧体８が内蔵されている。通常、この押圧体８は着座者の腰部及び／又は背部を押圧刺激できるように、好ましくは少なくとも腰部を押圧刺激できるように、張り地７の内側に直接又は適当なクッション材などを介して配置される。本実施形態では着座者の腰部と背部の一部（下側）を押圧刺激できるように、上下左右に計６個の押圧体８が設けられている。
【００１１】
各押圧体８は中空の可撓性プラスチック体又はゴム体からなり、内部へのエアの給排気により変形して厚みが変化するか若しくは膨張・収縮する。この各押圧体８に対しては、マッサージ機構を構成する給排気手段（図示せず）によりエアの給排気が行われる。通常、この給排気手段は、エアコンプレッサーなどの駆動源、この駆動源と各押圧体８を連絡する給排気管、給排気の切り替えを行う切替弁、給排気の切り替えを制御する制御装置などで構成される。
【００１２】
図５及び図６は、前記押圧体８の一実施形態を示すもので、図５は平面図、図６は図５のＶＩ−ＶＩ線に沿う断面図である。この押圧体８は中空円盤状の可撓性プラスチック体からなり、側部に給排気管９が接続されている。
この押圧体８は、給排気管９による内部へのエアの給排気により変形して厚みが変化するもので、変形しやすいように円盤面（両面）に複数の環状溝１０が同心円状に形成されている。
【００１３】
また、前記押圧体８は、複数の押圧体を一体的な部品として構成してもよい。図７及び図８はそのような押圧体の一実施形態を示すもので、複数の押圧体８が１つの基盤１１（プラスチック基盤）上に一体的に形成されるとともに、複数の押圧体８は基盤１１に形成された連絡管１２で連通し、この連絡管１２の一つに給排気管１３が接続され、この給排気管１３を通じて全押圧体に対する給排気が行われるようになっている。
また、押圧体８は伸縮自在なゴム体などから構成し、内部へのエアの給排気により変形して膨張・収縮するようなものであってもよい。
【００１４】
前記押圧体８は、エアの給排気によって変形させ、その厚みの変化又は膨張・収縮により着座者の腰部及び／又は背部を押圧刺激するものであり、したがって、このような機能を果たし得るものであれば、どのような構造のものであってもよい。図５及び図６の押圧体８の場合には、環状溝１０が形成された円盤面が背もたれ部２の前面を向くように背もたれ部２に内蔵される。
以上のような実施形態では、給排気手段により各押圧体８に対する給排気が繰り返され、これにより押圧体８の厚さが変化して、着座者の腰部や背部の一部を穏やかに押圧刺激する。
その他図面において、１４は押圧体８によるマッサージ機能を調整するためのコントローラである。
【００１５】
図９〜図１３は、本発明をソファタイプの腰掛け具に適用した場合の一実施形態を示すもので、図９は斜視図、図１０は側面図、図１１は平面図、図１２は正面図、図１３は一部切欠正面図である。
図において、１ａは座部、２ａは背もたれ部、３ａは背もたれ部２ａの両側に取り付けられた肘掛け部である。
【００１６】
前記座部１ａと背もたれ部２ａは、それぞれ内部にフレーム体（図示せず）を有し、両フレーム体の端部どうしをヒンジ連結６ａすることにより、背もたれ部２ａを座部１ａに対して回動可能としている。そして、前記ヒンジ連結６ａにラチェット機構（図示せず）などを設けることにより、背もたれ部２ａの角度調整が可能となっている。したがって、図４に示す態様と同じく座部１ａに対して背もたれ部２ａを水平に倒した状態とすることもできるし、逆に、背もたれ部２ａを座部１ａ側に倒し、両者を重なり合った状態とすることもできる。
座部１ａと背もたれ部２ａは、前記フレーム体と、その外側を覆うクッション材（図示せず）と、このクッション材全体を覆う張り地７（布、不織布、皮革、合成皮革など）とから構成される。
【００１７】
そして、背もたれ部１ａの前面側には、図１〜図４の実施形態と同様に、マッサージ手段としてエアの給排気で作動する複数の押圧体８が内蔵されている。押圧体８の構造、配置形態、給排気手段等は、さきに述べた図１〜図４の実施形態と同様である。
なお、この実施形態の座部１ａは、背もたれ部２ａが連結される本体部１００と、この本体部１００の先端側に連成される足載部１０１とからなり、この足載せ部１０１は、前記本体部１００に対して上下方向に傾動可能となっている。すなわち、本体部１００を構成するフレーム体４０に対して足載部１０１を構成するフレーム体４１がヒンジ連結２０されるとともに、ラチェット機構（図示せず）などにより角度調整が可能に構成されている。また、足載部１０１は着座者のふくらはぎなどのマッサージを目的としたマッサージ手段１５を内蔵している。このマッサージ手段１５の種類は任意であり、上述した押圧体８でもよし、バイブレータなどの他のマッサージ手段でもよい。
【００１８】
図１４〜図１８は、本発明をチェアタイプの腰掛け具に適用した場合の一実施形態を示すもので、図１４は斜視図、図１５は側面図、図１６は平面図、図１７は正面図、図１８は一部切欠正面図である。
図において、１ｂは座部、２ｂは背もたれ部、３ｂは背もたれ部２ｂの両側に取り付けられた肘掛け部である。
また、１６，１７は座部２ｂの脚部であり、このうち前側の１対の脚部１６は基端部が座部１ｂの下部に回動可能に枢着１８されるとともに、下端が斜め前方に延出した状態で係止され、座部１ｂを支えるようになっている。また、図１５に示すように座部下面中心方向に回動させることにより、折り畳むことができる。
【００１９】
一方、後ろ側の１対の脚部１７は後方に長く延出しており、先端にキャスター１９が取付られている。この脚部１７は、鞘管１７０とこの鞘管１７０に出没可能に挿入されるスライド管１７１とからなることで伸縮可能に構成されている。スライド管１７１は、伸長した状態で鞘管１７０に対して適当なストッパーで脱着可能に係止され、前記脚部１６とともに座部１ｂを支えるようになっている。また、スライド管１７１の少なくとも一部を鞘管１７０内に収納することで、脚部１７を縮小することができる。
【００２０】
前記座部１ｂと背もたれ部２ｂは、それぞれ内部にフレーム体（図示せず）を有し、両フレーム体の端部どうしをヒンジ連結６ｂすることにより、背もたれ部２ｂを座部１ｂに対して回動可能としている。そして、前記ヒンジ連結６ｂにラチェット機構（図示せす）などを設けることにより、背もたれ部２ｂの角度調整が可能となっている。したがって、図４に示す態様と同じく座部１ｂに対して背もたれ部２ｂを水平に倒した状態とすることもできるし、逆に、背もたれ部２ｂを座部１ｂ側に倒し、両者を重なり合った状態とすることもできる。
座部１ｂと背もたれ部２ｂは、前記フレーム体と、その外側を覆うクッション材（図示せず）と、このクッション材全体を覆う張り地７（布、不織布、皮革、合成皮革など）とから構成される。
【００２１】
そして、背もたれ部１ｂの前面側には、図１〜図４の実施形態と同様に、マッサージ手段としてエアの給排気で作動する複数の押圧体８が内蔵されている。押圧体８の構造、配置形態、給排気手段等は、さきに述べた図１〜図４の実施形態と同様である。
また、座部１ｂの構成は図９〜図１３の実施形態と同様であるので、同一の符号を付し、詳細な説明は省略する。
【図面の簡単な説明】
【００２２】
【図１】本発明を座椅子タイプの腰掛け具に適用した場合の一実施形態を示す側面図
【図２】図１の実施形態の正面図
【図３】図１の実施形態の一部切欠正面図
【図４】図１の実施形態において、座部に対して背もたれ部を水平に倒した状態で示す側面図
【図５】本発明の腰掛け具で用いる押圧体の一実施形態を示す平面図
【図６】図５のＶＩ−ＶＩ線に沿う断面図
【図７】本発明の腰掛け具で用いる押圧体の他の実施形態を示す平面図
【図８】図７の押圧体の側面図
【図９】本発明をソファタイプの腰掛け具に適用した場合の一実施形態を示す斜視図
【図１０】図９の実施形態の側面図
【図１１】図９の実施形態の平面図
【図１２】図９の実施形態の正面図
【図１３】図９の実施形態の一部切欠正面図
【図１４】本発明をチェアタイプの腰掛け具に適用した場合の一実施形態を示す斜視図
【図１５】図１４の実施形態の側面図
【図１６】図１４の実施形態の平面図
【図１７】図１４の実施形態の正面図
【図１８】図１４の実施形態の一部切欠正面図
【符号の説明】
【００２３】
１，１ａ，１ｂ  座部
２，２ａ，２ｂ  背もたれ部
３，３ａ，３ｂ  肘掛け部
４，５  フレーム体
６，６ａ，６ｂ  ヒンジ連結部
７  張り地
８  押圧体
９  給排気管
１０  環状溝
１１  基盤
１２  連絡管
１３  給排気管
１５  マッサージ手段
１６，１７  脚部
１８  枢着部
１９  キャスター
２０  ヒンジ連結部
４０，４１  フレーム体
１００  本体部
１０１  足載部
１７０  鞘管
１７１  スライド管
【図１】
2007307178.tif 000003
【図２】
2007307178.tif 000004
【図３】
2007307178.tif 000005
【図４】
2007307178.tif 000006
【図５】
2007307178.tif 000007
【図６】
2007307178.tif 000008
【図７】
2007307178.tif 000009
【図８】
2007307178.tif 000010
【図９】
2007307178.tif 000011
【図１０】
2007307178.tif 000012
【図１１】
2007307178.tif 000013
【図１２】
2007307178.tif 000014
【図１３】
2007307178.tif 000015
【図１４】
2007307178.tif 000016
【図１５】
2007307178.tif 000017
【図１６】
2007307178.tif 000018
【図１７】
2007307178.tif 000019
【図１８】
2007307178.tif 000020